(57)【要約】【課題】両面印刷にあたり、表裏における画像の大きさを十分に一致させた印刷用のデータを生成する画像処理装置および画像処理プログラムを提供する。【解決手段】印刷態様取得部５＿１１１で両面／片面データを取得し、用紙情報取得部５＿１１３で用紙の種類／寸法データを取得して補正用記憶部５＿１１２に記憶し、両面印刷が指定された場合に、画像寸法補正部５＿１１４で印刷用紙の表面に印刷される予定の画像の寸法を、その画像を表わすページ記述データ上で補正してラスタライズ部５＿１１５でラスタライズしてラスタイメージデータを生成する。【選択図】　　　　図４
2004054802.tif 000002
【特許請求の範囲】
【請求項１】
原画像データを印刷用データに変換するデータ変換部と、
印刷用紙の第１面および第２面のうちの少なくとも一方の面に印刷される予定の画像の寸法を、該印刷用紙の両面に同一の画像を印刷した場合における該印刷用紙両面の画像の寸法が略同一となるように、前記データ変換部で印刷用データに変換される前の原画像データ上で、あるいは該原画像データが該データ変換部で変換された後の印刷用データ上で補正する画像寸法補正部とを備えたことを特徴とする画像処理装置。
【請求項２】
印刷用紙の種類および寸法と、その印刷用紙の前記少なくとも一方の面に印刷される画像の寸法の補正量との対応関係を記憶しておく補正用記憶部と、
印刷に用いる印刷用紙の種類および寸法を取得する用紙情報取得部とを備え、
前記画像寸法補正部は、印刷用紙の第１面および第２面のうちの少なくとも一方の面に印刷される予定の画像の寸法を、該原画像データ上で、あるいは該原画像データが前記データ変換部で変換された後の印刷用データ上で、前記用紙情報取得部で取得された印刷用紙の種類と寸法に応じた補正量だけ補正するものであることを特徴とする請求項１記載の画像処理装置。
【請求項３】
片面印刷と両面印刷との別を取得する印刷態様取得部を備え、
前記画像寸法補正部は、前記印刷態様取得部において両面印刷が指定された場合に、前記少なくとも一方の面に印刷される予定の画像の寸法を補正するものであることを特徴とする請求項１記載の画像処理装置。
【請求項４】
プログラムを実行する情報処理装置内で実行され、該情報処理装置を、
原画像データを印刷用データに変換するデータ変換部と、
印刷用紙の第１面および第２面のうちの少なくとも一方の面に印刷される予定の画像の寸法を、該印刷用紙の両面に同一の画像を印刷した場合における該印刷用紙両面の画像の寸法が略同一となるように、前記データ変換部で印刷用データに変換される前の原画像データ上で、あるいは該原画像データが該データ変換部で変換された後の印刷用データ上で補正する画像寸法補正部とを備えた画像処理装置として動作させることを特徴とする画像処理プログラム。
【請求項５】
前記情報処理装置を、さらに、
印刷用紙の種類および寸法と、その印刷用紙の前記少なくとも一方の面に印刷される画像の寸法の補正量との対応関係を記憶しておく補正用記憶部と、
印刷用紙の種類および寸法を取得する用紙情報取得部とを備えた画像処理装置として動作させる画像処理プログラムであって、
前記画像寸法補正部は、印刷用紙の第１面および第２面のうちの少なくとも一方の面に印刷される予定の画像の寸法を、該原画像データ上で、あるいは該原画像データが前記データ変換部で変換された後の印刷用データ上で、前記用紙情報取得部で取得された印刷用紙の種類と寸法に応じた補正量だけ補正するものであることを特徴とする請求項４記載の画像処理プログラム。
【請求項６】
前記情報処理装置を、さらに、片面印刷と両面印刷との別を取得する印刷態様取得部を備えた画像処理装置として動作させる画像処理プログラムであって、
前記画像寸法補正部は、前記印刷態様取得部において両面印刷が指定された場合に、前記少なくとも一方の面に印刷される予定の画像の寸法を補正するものであることを特徴とする請求項４記載の画像処理プログラム。
【発明の詳細な説明】
【０００１】
【発明の属する技術分野】
本発明は、原画像データを印刷用データに変換する画像処理装置、および情報処理装置にローディングされてその情報処理装置を上記画像処理装置として動作させるための画像処理プログラムに関する。
【０００２】
【従来の技術】
従来より、印刷業界ではパーソナルコンピュータ等を使って文書の編集や印刷を行なうＤＴＰ（Ｄｅｓｋ　Ｔｏｐ　Ｐｕｂｌｉｓｈｉｎｇ）システムが広く用いられている。このＤＴＰシステムでは、編集用ワークステーション上で編集用ソフトウェア（ＤＴＰアプリケーション）を用いて、画像を表わす絵柄，テキスト，線画等のレイアウトを決める編集作業をページ記述言語（ＰＤＬ：ＰａｇｅＤｅｓｃｒｉｐｔｉｏｎ　Ｌａｎｇｕａｇｅ）を使用して行ない、その結果をＰＳ（Ｐｏｓｔ　Ｓｃｒｉｐｔ）データやＰＤＦ（Ｐｏｒｔａｂｌｅ　Ｄｏｃｕｍｅｎｔ　Ｆｏｒｍａｔ）データで出力する。出力されたＰＳデータやＰＤＦデータは、それらのデータを印刷用のラスタイメージデータに変換する画像処理装置に入力される。この画像処理装置からは印刷用のラスタイメージデータがプリンタに向けて出力される。プリンタは、ラスタイメージデータからなる画像（網点画像）を、指定された印刷用紙に印刷する。
【０００３】
ここで、上記画像処理装置において、両面印刷を行なうにあたり、表面に印刷される画像の書き出し位置（オフセット）と裏面に印刷される画像の書き出し位置とのズレを小さくするために、印刷用紙の表裏における画像の位置ズレを補正するオフセット調整が行なわれている。
【０００４】
【発明が解決しようとする課題】
電子写真方式や昇華熱転写方式を採用したプリンタでは、画像の印刷にあたり、印刷用紙が加熱されたり加圧されたりする。このようなプリンタで両面印刷を行なうと、印刷用紙の表面を印刷した時点で、その印刷用紙が熱や圧力等の物理的要因により変形をきたす場合があり、そのように変形をきたした状態で裏面が印刷される。このため、印刷用紙の表裏に同じ大きさの画像を印刷する場合、結果として印刷用紙の表裏に印刷された画像どうしの大きさが異なることとなる。このような表裏における画像どうしのズレは、上記オフセット調整で補正することは困難であり、例えばボーダーライン（境界線）を付したページや名刺等の小サイズ印刷物において問題である。
【０００５】
本発明は、上記事情に鑑み、両面印刷にあたり、表裏における画像の大きさを十分に一致させた印刷用のデータを生成する画像処理装置および画像処理プログラムを提供することを目的とする。
【０００６】
【課題を解決するための手段】
上記目的を達成する本発明の画像処理装置は、
原画像データを印刷用データに変換するデータ変換部と、
印刷用紙の第１面および第２面のうちの少なくとも一方の面に印刷される予定の画像の寸法を、その印刷用紙の両面に同一の画像を印刷した場合におけるその印刷用紙両面の画像の寸法が略同一となるように、上記データ変換部で印刷用データに変換される前の原画像データ上で、あるいはその原画像データがそのデータ変換部で変換された後の印刷用データ上で補正する画像寸法補正部とを備えた備えたことを特徴とする。
【０００７】
ここで、本発明にいう原画像データとは、ページ記述データ、連続階調データ、テキストデータ、図形データ等の画像データをいう。また、印刷用データとは、プリンタが出力可能な形式のデータをいい、例えばラスタイメージデータに対応したプリンタに出力する場合は、ラスタイメージデータが印刷用データである。
【０００８】
電子写真方式や昇華熱転写方式を採用したプリンタで両面印刷を行なうと、印刷用紙の表面を印刷した時点で、その印刷用紙が熱や圧力等の物理的要因により変形をきたす場合があり、そのような状態で裏面を印刷すると、印刷用紙の表裏に同じ大きさの画像を印刷することは困難である。ここで、プリンタに出力するための印刷用データについて、変形する分だけ補正することが考えられる。しかし、印刷用データであるラスタイメージデータに基づいて画像の寸法を補正しようとすると、補間演算を行なうことになり補間誤差が伴い、従って画質が劣化するという問題が発生する。また、膨大なラスタイメージデータに比べてページ記述データの補正だと処理時間がかからないので、ページ記述データの補正の方が好ましい。
【０００９】
本発明の画像処理装置では、両面印刷が指定された場合に、印刷用紙の第１面および第２面のうちの少なくとも一方の面に印刷される予定の画像の寸法が、その原画像データ上で、あるいは印刷用データ上で補正される。このため、電子写真方式や昇華熱転写方式を採用したプリンタで両面印刷を行なう場合、印刷用紙の表面を印刷した時点で印刷用紙が変形する場合であっても、その変形する分だけ原画像データ上で、あるいは印刷用データ上で補正される。従って、両面印刷にあたり、表裏における画像の大きさを十分に一致させた印刷用のデータを生成することができる。尚、原画像データであるページ記述データ上で補正すると、印刷用データであるラスタイメージデータ上で補正する場合と比較し、ページ記述データ上に補正用の記述データを追加するのみで済み、処理時間が短くて済む。
【００１０】
ここで、印刷用紙の種類および寸法と、その印刷用紙の上記少なくとも一方の面に印刷される画像の寸法の補正量との対応関係を記憶しておく補正用記憶部と、印刷に用いる印刷用紙の種類および寸法を取得する用紙情報取得部とを備え、上記画像寸法補正部は、印刷用紙の第１面および第２面のうちの少なくとも一方の面に印刷される予定の画像の寸法を、その原画像データ上で、あるいはその原画像データが上記データ変換部で変換された後の印刷用データ上で、上記用紙情報取得部で取得された印刷用紙の種類と寸法に応じた補正量だけ補正するものであることが好ましい。
【００１１】
また、片面印刷と両面印刷との別を取得する印刷態様取得部を備え、上記画像寸法補正部は、上記印刷態様取得部において両面印刷が指定された場合に、上記少なくとも一方の面に印刷される予定の画像の寸法を補正するものであることも好ましい。
【００１２】
このようにすると、種類や寸法が異なる各種の印刷用紙について、それら印刷用紙の表裏における画像の大きさを十分に一致させた印刷用のデータを生成することができる。
【００１３】
また、上記目的を達成する本発明の画像処理プログラムは、プログラムを実行する情報処理装置内で実行され、その情報処理装置を、
原画像データを印刷用データに変換するデータ変換部と、
印刷用紙の第１面および第２面のうちの少なくとも一方の面に印刷される予定の画像の寸法を、その印刷用紙の両面に同一の画像を印刷した場合におけるその印刷用紙両面の画像の寸法が略同一となるように、上記データ変換部で印刷用データに変換される前の原画像データ上で、あるいはその原画像データがそのデータ変換部で変換された後の印刷用データ上で補正する画像寸法補正部とを備えた画像処理装置として動作させることを特徴とする。
【００１４】
本発明の画像処理プログラムは、プログラムを実行する情報処理装置内で実行され、その情報処理装置を、原画像データを印刷用データに変換する画像処理装置として動作させるものであるため、電子写真方式や昇華熱転写方式を採用したプリンタで両面印刷を行なう場合であっても、印刷用紙の表裏における画像の大きさを十分に一致させた印刷用のデータを生成することができる。
【００１５】
ここで、上記情報処理装置を、さらに、印刷用紙の種類および寸法と、その印刷用紙の上記少なくとも一方の面に印刷される画像の寸法の補正量との対応関係を記憶しておく補正用記憶部と、印刷用紙の種類および寸法を取得する用紙情報取得部とを備えた画像処理装置として動作させる画像処理プログラムであって、上記画像寸法補正部は、印刷用紙の第１面および第２面のうちの少なくとも一方の面に印刷される予定の画像の寸法を、その原画像データ上で、あるいはその原画像データが上記データ変換部で変換された後の印刷用データ上で、上記用紙情報取得部で取得された印刷用紙の種類と寸法に応じた補正量だけ補正するものであることが好ましい。
【００１６】
また、上記情報処理装置を、さらに、片面印刷と両面印刷との別を取得する印刷態様取得部を備えた画像処理装置として動作させる画像処理プログラムであって、
上記画像寸法補正部は、上記印刷態様取得部において両面印刷が指定された場合に、上記少なくとも一方の面に印刷される予定の画像の寸法を補正するものであることも好ましい。
【００１７】
このようにすると、種類や寸法が異なる各種の印刷用紙について、それら印刷用紙の表裏における画像の大きさを十分に一致させた印刷用のデータを生成することができる。
【００１８】
【発明の実施の形態】
以下、本発明の実施形態について説明する。
【００１９】
図１は、本発明の画像処理装置の一実施形態が組み込まれたシステムを示す図である。
【００２０】
図１には、編集用ワークステーション１０１，１０２，１０３と、情報処理装置１０と、プリンタ２００とが示されている。
【００２１】
編集用ワークステーション１０１，１０２，１０３は、編集用ソフトウェア（ＤＴＰアプリケーション）を用いて、画像を表わす絵柄，テキスト，線画等のレイアウトを決める編集作業をページ記述言語（ＰＤＬ：Ｐａｇｅ　Ｄｅｓｃｒｉｐｔｉｏｎ　Ｌａｎｇｕａｇｅ）を使用して行ない、その結果をＰＳ（ＰｏｓｔＳｃｒｉｐｔ）データやＰＤＦ（Ｐｏｒｔａｂｌｅ　Ｄｏｃｕｍｅｎｔ　Ｆｏｒｍａｔ）データで情報処理装置１０に出力する。
【００２２】
情報処理装置１０には、本発明の画像処理装置の一実施形態が組み込まれており、この情報処理装置１０に組み込まれた画像処理装置は、詳細は後述するが、上記ＰＳデータやＰＤＦデータ（これらのデータは画像を表わすページ記述データであり、本発明にいう原画像データの一例に相当するデータである）を印刷用のラスタイメージデータ（本発明にいう印刷用データの一例）に変換してプリンタ２００に出力する。
【００２３】
プリンタ２００は、電子写真方式や昇華熱転写方式を採用したプリンタが用いられる。このプリンタ２００は、ラスタイメージデータからなる画像を、指定された印刷用紙の両面もしくは片面に印刷する。
【００２４】
図２は、図１に示す情報処理装置のハードウェア構成図である。
【００２５】
この情報処理装置１０は、各種プログラムを実行するＣＰＵ１、ハードディスク装置３に格納されたプログラムが読み出されＣＰＵ１での実行のために展開される主メモリ２、各種プログラムやデータ等が保存されたハードディスク装置３、フレキシブルディスク４＿１が装填され、その装填されたフレキシブルディスク４＿１をアクセスするフレキシブルディスクドライブ４、ＣＤ−ＲＯＭ５＿１をアクセスするＣＤ−ＲＯＭドライブ５、図１に示す編集用ワークステーション１０１，１０２，１０３と接続され、それら編集用ワークステーション１０１，１０２，１０３からのＰＳ／ＰＤＦデータを受け取る入力インタフェース６、プリンタ２００と接続され、そのプリンタ２００にラスタイメージデータを送る出力インタフェース７が内蔵されており、これらの各種要素は、バス１５を介して相互に接続されている。
【００２６】
ここで、ＣＤ−ＲＯＭ５＿１には、この情報処理装置１０を本発明の画像処理装置の一実施形態として動作させるための画像処理プログラムが記憶されており、そのＣＤ−ＲＯＭ５＿１はＣＤ−ＲＯＭドライブ５に装填され、そのＣＤ−ＲＯＭ５＿１に記憶された画像処理プログラムがこの情報処理装置１０にアップロードされてハードディスク装置３に記憶される。このハードディスク装置３に記憶された画像処理プログラムがこの情報処理装置１０内で実行されると、この情報処理装置１０が本発明の画像処理装置の一実施形態として動作する。
【００２７】
ここで、情報処理装置１０内で実行される、画像処理プログラム（本発明の画像処理プログラムの一実施形態に相当）について説明する。
【００２８】
図３は、本発明の画像処理プログラムの一実施形態が記憶されたＣＤ−ＲＯＭを示す概念図である。
【００２９】
図３に示すＣＤ−ＲＯＭ５＿１には、画像処理プログラム５＿１０が記憶されており、この画像処理プログラム５＿１０は、印刷態様取得処理ルーチン部５＿１１、補正用記憶処理ルーチン部５＿１２、用紙情報取得処理ルーチン部５＿１３、画像寸法補正処理ルーチン部５＿１４、およびラスタライズ処理ルーチン部５＿１５で構成されている。画像処理プログラム５＿１０の各部の細部については、本発明の画像処理装置の一実施形態の各部の作用とあわせて説明する。
【００３０】
図４は、本発明の画像処理装置の一実施形態の構成を示す図である。
【００３１】
図４に示す画像処理装置１０には、印刷態様取得部５＿１１１と、補正用記憶部５＿１１２と、用紙情報取得部５＿１１３と、画像寸法補正部５＿１１４と、ラスタライズ部５＿１１５（本発明にいうデータ変換部の一例に相当）とが備えられている。
【００３２】
印刷態様取得部５＿１１１は、図３に示す印刷態様取得処理ルーチン部５＿１１のプログラムの作用を受けて動作し、片面印刷と両面印刷との別を取得する。具体的には、図２に示す情報処理装置１０には、ＧＵＩ（Ｇｒａｐｈｉｃａｌ　Ｕｓｅｒ　Ｉｎｔｅｒｆａｃｅ）が備えられており、そのＧＵＩにより画像表示装置１２の画面には、印刷態様として、両面を印刷するための両面印刷の文字列と、表面（本発明にいう第１面に相当）もしくは裏面（本発明にいう第２面に相当）のいずれかの面を印刷するための片面印刷の文字列が表示される。これらの文字列のいずれかをキーボード１３やマウス１４を使用して選択することにより、両面もしくは片面のいずれかのデータを取得する。尚、画像表示装置１２の、ＧＵＩにより表示される画面と同じ画面は、図１に示す編集用ワークステーション１０１，１０２，１０３においても表示することができる。
【００３３】
補正用記憶部５＿１１２は、図３に示す補正用記憶処理ルーチン部５＿１２のプログラムの作用を受けて動作し、印刷用紙の種類および寸法と、その印刷用紙の少なくとも一方の面に印刷される画像の寸法の補正量との対応関係を記憶する。
【００３４】
用紙情報取得部５＿１１３は、図３に示す用紙情報取得処理ルーチン部５＿１３のプログラムの作用を受けて動作し、印刷に用いる印刷用紙の種類および寸法を取得する。具体的には、図２に示す画像表示装置１２の画面には、印刷用紙の種類および寸法の文字列が表示され、キーボード１３やマウス１４を使用して所望の種類および寸法の文字列を選択することにより、用紙の種類／寸法データを取得する。
【００３５】
画像寸法補正部５＿１１４は、図３に示す画像寸法補正処理ルーチン部５＿１４のプログラムの作用を受けて動作し、印刷態様取得部５＿１１１において両面印刷が指定された場合に、印刷用紙の表面に印刷される予定の画像の寸法を、その画像を表わすページ記述データ（ＰＳ／ＰＤＦデータ）上で補正する。ここで、画像寸法補正部５＿１１４は、画像の寸法の補正にあたり、用紙情報取得部５＿１１３で取得された印刷用紙の種類と寸法に応じた補正量だけ補正する。
【００３６】
ラスタライズ部５＿１１５は、図３に示すラスタライズ処理ルーチン部５＿１５のプログラムの作用を受けて動作し、画像を表わすページ記述データを印刷用のラスタイメージデータに変換する。
【００３７】
図５は、画像処理プログラム５＿１０を情報処理装置１０にインストールし、その情報処理装置１０を本発明の画像処理装置の一実施形態として動作させるときの画像処理装置５０におけるデータの流れを示す図である。
【００３８】
図５に示す画像処理装置５０には、図１に示す編集用ワークステーション１０１，１０２，１０３からの、ファイルＡを構成するページ記述データ（ＰＳデータやＰＤＦデータ）が入力され、ＰＳデータやＰＤＦデータは、それぞれ、ファイルＣとして保存（スプール）される。これらのファイルＢ，Ｃは、図４に示すラスタライズ部５＿１１５を構成するＲＩＰ（Ｒａｓｔｅｒ　Ｉｍａｇｅ　Ｐｒｏｃｅｓｓｏｒ）で直接ラスタライズされたり、あるいはファイルＢのデータはＰＤＦ加工部でＰＤＦデータに変換されて、ファイルＤが生成される。さらに、ファイルＣ，Ｄのデータ（ＰＤＦデータ）は、ＣＭＳ（Ｃｏｌｏｒ　Ｍａｎａｇｅｍｅｎｔ　Ｓｙｓｔｅｍ）でＩＣＣプロファイルＧに基づいて色変換処理され、次いでプリンタ２００で印刷される印刷用紙上における各色の位置ズレを目立たなくさせるためのオブジェクトの太らせ処理，細らせ処理等のトラップ処理が行なわれ、さらにフォントデータをＰＤＦデータに埋め込むフォント埋込処理が行なわれる。
【００３９】
次に、調整パラメータＨに基づく調整を行なう。ここでは、図４に示す印刷態様取得部５＿１１１で両面データが取得された場合に、表面に印刷される予定の画像の寸法を、用紙情報取得部５＿１１３で取得して補正用記憶部５＿１１２に調整パラメータＨとして記憶された用紙の種類／寸法データに応じた補正量だけＰＤＦデータ上で補正して調整する。さらに、エラーチェックを行なって最終的に加工済みのＰＤＦファイルＥを得たり、ファイルＦとして外部に出力したりする。本実施形態では、このようにフォント埋込処理が施されたＰＤＦファイルＥを得るものであるため、このＰＤＦファイルＥを外部装置で使用するにあたり、その外部装置に上記フォントが組み込まれていない場合であっても、その外部装置にインストールされているＰＤＦアプリケーションでプレビュー（表示），エディット（編集），トラップ指定が可能である。さらに、ＰＤＦファイルＥは、ＲＩＰでラスタライズされてプリンタ２００に出力される。
【００４０】
次に、両面印刷が指定された場合に、印刷用紙の表面における画像の寸法をどの程度補正したらよいのかを知るための方法について説明する。
【００４１】
図６は、印刷用紙の表裏補正用のパターンを示す図である。
【００４２】
最初に印刷用紙の表面に、図６に示す４つのパターンＡ，Ｂ，Ｃ，Ｄを印刷する。これらのパターンＡ，Ｂ，Ｃ，Ｄは、Ｘ方向、Ｙ方向について所定の寸法で目盛が刻まれている。ここで、最初に印刷用紙の表面を印刷した時点で、その印刷用紙が熱や圧力等の物理的要因により変形をきたしている。このような状態で、裏面にも上記４つのパターンＡ，Ｂ，Ｃ，Ｄを印刷する。結果として印刷用紙の表裏に印刷されたパターンＡ，Ｂ，Ｃ，Ｄどうしの、Ｘ方向，Ｙ方向についての寸法は異なることとなる。ここで、例えば、印刷用紙の表面に印刷されたパターンＡ，Ｂ，Ｃ，Ｄの、Ｘ方向，Ｙ方向に対する定点について針等で穴を空け、裏面に印刷されたパターンＡ，Ｂ，Ｃ，Ｄの定点位置からのズレ量を測定する。このようにして、表裏に印刷されたパターンＡ，Ｂ，Ｃ，Ｄどうしのズレ量を測定する。
【００４３】
図７は、図２に示す画像表示装置に表示される画面を示す図である。
【００４４】
図７（ａ）には、メディア設定および表裏補正値設定用の画面が示されており、図７（ｂ）には、メディア設定されたメディアの指定および印刷態様の指定用画面が示されている。
【００４５】
図７（ａ）に示す画面には、メディア（本発明にいう印刷用紙に相当）名、メディア種別、用紙サイズ、補正値が示されており、この画面上で、ここではパラメータ名としてＣｏｌｏｒＲｅｄＰａｐｅｒＡ４、メディア種別としてＵｎｃｏａｔ　６４―８０ｇｓｍ、用紙サイズとしてＡ４、補正値として表面に印刷されたパターンＡ，Ｂ，Ｃ，Ｄに対する横方向（Ｘ方向）における値０，１，−１，０、および縦方向（Ｙ方向）における値１，０，０，−１が設定される。
【００４６】
また、図７（ｂ）に示す画面には、メディア、印刷態様、自動給紙選択の有無が示されており、ここではメディアとしてＣｏｌｏｒＲｅｄＰａｐｅｒＡ４、印刷態様として両面印刷、自動給紙選択有りが指定される。印刷用紙の表裏における画像のズレ量は、印刷用紙の種類と寸法によって異なる可能性があるので、ユーザはこれら種類と寸法を指定して、上述したパターンＡ，Ｂ，Ｃ，Ｄで表面および裏面を印刷してズレ量を測定して補正値を求めておく。その後、図７（ａ）の画面上でメディア名を指定すると、印刷用紙の種類と寸法がわかるので、どれだけ補正すればよいのかがわかるので補正したい分だけの値を指定しておく。指定された値は、補正用記憶部５＿１１２に調整パラメータＨとして記憶される。このようにすることにより、両面印刷が指定された場合に、印刷用紙の表面に印刷される予定の画像の寸法が、その画像を表わすページ記述データ上で補正され、画像の寸法が調整されたページ記述データについてラスタライズされる。従って、両面印刷にあたり、表裏における画像の大きさを十分に一致させた印刷用のデータを生成することができる。
【００４７】
尚、片面／両面の指定や印刷用紙の種類，寸法の指定は、情報処理装置１０で指定されるのではなく、編集用ワークステーション１０１，１０２，１０３から入力されるものであってもよい。
【００４８】
また、本実施形態では、両面印刷が指定された場合に、印刷用紙の表面に印刷される予定の画像の寸法を、その画像を表わすページ記述データ上で補正する例で説明したが、これに限られるものではなく、両面印刷が指定された場合に、印刷用紙の裏面に印刷される予定の画像の寸法を、その画像を表わすページ記述データ上で補正してもよい。また、それら表面や裏面に印刷される予定の画像の寸法をラスタイメージデータ上で補正してもよい。さらに、片面印刷が指定された場合であってもその片面に印刷される予定の画像の寸法をページ記述データ上であるいはラスタイメージデータ上で補正してもよく、本発明は、印刷用紙の第１面および第２面のうちの少なくとも一方の面に印刷される予定の画像の寸法を、その印刷用紙の両面に同一の画像を印刷した場合におけるその印刷用紙両面の画像の寸法が略同一となるように、原画像データ上であるいは印刷用データ上で補正するものであればよい。
【００４９】
【発明の効果】
以上説明したように、本発明によれば、両面印刷にあたり、表裏における画像の大きさを十分に一致させた印刷用のデータを生成することができる。
【図面の簡単な説明】
【図１】本発明の画像処理装置の一実施形態が組み込まれたシステムを示す図である。
【図２】図１に示す情報処理装置のハードウェア構成図である。
【図３】本発明の画像処理プログラムの一実施形態が記憶されたＣＤ−ＲＯＭを示す概念図である。
【図４】本発明の画像処理装置の一実施形態の構成を示す図である。
【図５】本発明の画像処理装置の一実施形態におけるデータの流れを示す図である。
【図６】印刷用紙の表裏補正用のパターンを示す図である。
【図７】図２に示す画像表示装置に表示される画面を示す図である。
【符号の説明】
１　ＣＰＵ
２　主メモリ
３　ハードディスク装置
４　フレキシブルディスクドライブ
４＿１　フレキシブルディスク
５　ＣＤ−ＲＯＭドライブ
５＿１　ＣＤ−ＲＯＭ
５＿１０　画像処理プログラム
５＿１１　印刷態様取得処理ルーチン部
５＿１２　補正用記憶処理ルーチン部
５＿１３　用紙情報取得処理ルーチン部
５＿１４　画像寸法補正処理ルーチン部
５＿１５　ラスタライズ処理ルーチン部
５＿１１１　印刷態様取得部
５＿１１２　補正用記憶部
５＿１１３　用紙情報取得部
５＿１１４　画像寸法補正部
５＿１１５　ラスタライズ部
６　入力インターフェース
７　出力インタフェース
１０　情報処理装置
１２　画像表示装置
１３　キーボード
１４　マウス
１５　バス
５０　画像処理装置
１０１，１０２，１０３　編集用ワークステーション
２００　プリンタ
【図１】
2004054802.tif 000003
【図２】
2004054802.tif 000004
【図３】
2004054802.tif 000005
【図４】
2004054802.tif 000006
【図５】
2004054802.tif 000007
【図６】
2004054802.tif 000008
【図７】
2004054802.tif 000009